(57)【特許請求の範囲】
【請求項１】
第１環状部材に光軸と平行な直進案内溝を形成し、該第１環状部材と同心をなす第２環状部材に、該直進案内溝に係合する直進案内ピンを突設したレンズ鏡筒において、
上記第１環状部材と第２環状部材の一方に有底直進溝を形成し、上記第１環状部材と第２環状部材の他方に、上記直進案内ピンとは光軸方向位置をずらして、この有底直進溝に摺動可能に係合し、その先端部が常に該有底直進溝の底面に弾性接触して、上記第１環状部材と第２環状部材の間に径方向の力を与える弾性突部材を突設し、
上記弾性突部材の前部と後部の少なくとも一方に、共に上記有底直進溝の溝幅方向に延びかつ互いに対をなす二つの切れ込みを入れ、上記前部と上記後部の少なくとも一方に形成した該二つの切れ込みの間に、その他の部分に比べて弾性変形し易く上記有底直進溝の底面に弾性接触する弾性変形部を形成したことを特徴とするレンズ鏡筒。
【請求項２】
請求項１記載のレンズ鏡筒において、
上記弾性突部材の上記前部と上記後部のそれぞれに対をなす二つの上記切れ込みを設けることにより、上記前部と上記後部に上記弾性変形部をそれぞれ形成したレンズ鏡筒。
【請求項３】
請求項１または２記載のレンズ鏡筒において、
上記弾性突部材及び上記有底直進溝を周方向に並べて３つ以上設けたレンズ鏡筒。
【請求項４】
請求項１から３のいずれか１項記載のレンズ鏡筒において、
上記有底直進溝が光軸と平行な一対の側面を有し、
上記弾性突部材の両側面に、該有底直進溝の側面と平行でこれら両側面にそれぞれ摺接する案内平面を形成したレンズ鏡筒。
【請求項５】
請求項１から４のいずれか１項記載のレンズ鏡筒において、
上記弾性突部材がポリアセタールによって一体成形されているレンズ鏡筒。
【発明の詳細な説明】
【技術分野】
【０００１】
本発明は、レンズ鏡筒に関する。
【背景技術】
【０００２】
固定環と、この固定環に光軸方向に直進案内されたレンズ支持枠との間のガタを除去することにより、固定環とレンズ支持枠の間の姿勢差をなくすようにしたレンズ鏡筒としては、例えば特許文献１に記載されたものがある。
この発明では、レンズ支持枠（３群ベース鏡筒４）に突設したコロ１２を固定環（案内筒２）のレンズ支持枠との対向面に形成した案内溝に係合させることによりレンズ支持枠を直進案内している。さらに、レンズ支持枠の固定環との対向部に周方向に並べて３つの環状形状の弾性部材１３を固定し、各弾性部材の一端を固定環に弾性接触させることにより、固定環とレンズ支持枠の間のガタを除去している。
【０００３】
【特許文献１】特許第３３１３９２１号公報
【発明の開示】
【発明が解決しようとする課題】
【０００４】
しかし特許文献１の上記弾性部材にはガタを除去する機能しかなく、その他の機能がなかった。
また、コロとは別個に弾性部材を設けているので、部品点数が増加してしまうという問題があった。
さらに、弾性部材は直進案内部材であるコロと同じ光軸方向位置に設けられているので、ガタの除去効果はそれほど高くなかった。
【０００５】
本発明の目的は、部品点数を必要以上に増加させることなく固定環とレンズ支持枠の間のガタを確実に除去でき、レンズ支持枠をより正確に直進案内できるレンズ鏡筒を提供することにある。
【課題を解決するための手段】
【０００６】
本発明のレンズ鏡筒は、第１環状部材に光軸と平行な直進案内溝を形成し、該第１環状部材と同心をなす第２環状部材に、該直進案内溝に係合する直進案内ピンを突設したレンズ鏡筒において、上記第１環状部材と第２環状部材の一方に有底直進溝を形成し、上記第１環状部材と第２環状部材の他方に、上記直進案内ピンとは光軸方向位置をずらして、この有底直進溝に摺動可能に係合し、その先端部が常に該有底直進溝の底面に弾性接触して、上記第１環状部材と第２環状部材の間に径方向の力を与える弾性突部材を突設し、上記弾性突部材の前部と後部の少なくとも一方に、共に上記有底直進溝の溝幅方向に延びかつ互いに対をなす二つの切れ込みを入れ、上記前部と上記後部の少なくとも一方に形成した該二つの切れ込みの間に、その他の部分に比べて弾性変形し易く上記有底直進溝の底面に弾性接触する弾性変形部を形成したことを特徴としている。
【０００８】
上記弾性突部材の上記前部と上記後部のそれぞれに対をなす二つの上記切れ込みを設けることにより、上記前部と上記後部に上記弾性変形部をそれぞれ形成してもよい。
【０００９】
上記弾性突部材及び上記有底直進溝を周方向に並べて３つ以上設けるのが好ましい。
【００１０】
上記有底直進溝が光軸と平行な一対の側面を有し、上記弾性突部材の両側面に、該有底直進溝の側面と平行でこれら両側面にそれぞれ摺接する案内平面を形成するのが実際的である。
【００１１】
上記弾性突部材は、例えばポリアセタールによって一体成形することが可能である。
【発明の効果】
【００１２】
本発明によれば、一対の環状部材の対向面の一方に突設された弾性突部材が他方に形成された有底直進溝に摺動可能に係合し、その先端部が常に有底直進溝の底面に弾性接触する。従って、二対の環状部材の間のガタが確実に除去される。
さらに、弾性突部材の両側面に、直進案内溝の光軸と平行な一対の側面に摺接する案内平面を形成すれば、弾性突部材はガタ除去機能だけでなく直進案内機能を発揮する。そして、このように弾性突部材が２つの機能を発揮すれば、光軸方向位置を異ならせて直進案内ピンを一対設けて、さらにガタ除去部材を設ける場合に比べて部品点数の増加を抑えることが可能である。
さらに弾性突部材が、一対の環状部材の対向面の一方に突設された直進案内ピンとはその光軸方向位置を異ならせて設けられているので、直進案内ピンと同じ光軸方向位置に設けた場合に比べて、弾性突部材のガタ除去機能及び直進案内性能は効果的に発揮される。
【発明を実施するための最良の形態】
【００１３】
以下、本発明の一実施形態について添付図面を参照しながら説明する。
まず図１および図２を利用して、レンズ鏡筒１０の全体構造について説明する。
光軸Ｏを中心とする筒状部材である固定環（第１環状部材）１１は、光軸Ｏ回りの回転及び光軸Ｏ方向の直進移動が規制された不動部材であり、その後端面には図示を省略したカメラボディに接続するためのマウント環１２が固着されている。固定環１１は互いに同心をなす内筒１３と外筒１４を具備している。内筒１３には光軸Ｏと平行な３本の直進案内溝１６が周方向に１２０°間隔で並べて貫通溝として形成されている。さらに内筒１３の外周面の前端部近傍には、複数のストッパ１５が周方向に並べて突設されている。外筒１４の外周面には光軸Ｏを中心とする環状凹部１７が凹設されている。この環状凹部１７にはフォーカス環１８が光軸Ｏ回りに回転かつ光軸Ｏ方向に相対移動不能として嵌合している。１９はフォーカス環１８の外周面に固着されたゴム製のグリップ環である。外筒１４には、外筒１４を径方向（光軸Ｏに対して直交する方向）に貫通する貫通孔２０が形成されている。また、内筒１３と外筒１４の後端同士を連結する環状の後部壁の前面には、光軸Ｏを中心とする環状支持溝２１が凹設されている。
【００１４】
内筒１３の外周面には内筒１３と同心をなすカム環３０が外嵌している。このカム環３０の後端部は環状支持溝２１に回転可能に嵌合しており、カム環３０の前端面は各ストッパ１５の後面に接触している。即ち、カム環３０は内筒１３に対して光軸Ｏ回りに回転可能であり、光軸Ｏ方向には相対移動不能である。カム環３０の上面には連結部材３１が固着されており、この連結部材３１の上端部は貫通孔２０を貫通してフォーカス環１８に固着されている。従って、撮影者が手でフォーカス環１８を回転させると、カム環３０が光軸Ｏ回りに時計方向または反時計方向に回転する。さらに、カム環３０の内周面には周方向に１２０°間隔で並べて３本のカム溝３３が有底溝として形成されている。また、カム環３０には周方向に１２０°間隔で並べて３本のカム溝３４が貫通溝として形成されている。このカム溝３４とカム溝３３の光軸方向位置は互いにずれている。
【００１５】
１群支持枠４０（第２環状部材）は、共に固定環１１と同心をなす内筒４１と外筒４２を具備している。内筒４１は内筒１３の内周側に位置しており、外筒４２は内筒１３と外筒１４の間に位置している。内筒４１の内周面であるレンズ支持孔４３には第１レンズ群Ｌ１が嵌合固定されている。外筒４２の内周面には周方向に１２０°間隔で並べて、光軸Ｏと平行な３本の直進案内溝（有底直進溝）４５が有底溝として形成されている。直進案内溝４５の左右両側面４４（図４参照）は互いに平行かつ光軸Ｏと平行である。
外筒４２の内周面には周方向に１２０°間隔で並べて（直進案内溝４５とは周方向位置がずれている）３本のカムピン（直進案内ピン）４６が径方向内向きに突設されている。各カムピン４６は対応するカム溝３４及び対応する直進案内溝１６にそれぞれ係合しているので、カム環３０が回転すると１群支持枠４０（第１レンズ群Ｌ１）が直進案内溝１６に沿って光軸Ｏ方向に進退する。
【００１６】
１群支持枠４０の後方において同心的に位置する２群支持枠４７は、その内周面がレンズ支持孔４８となっており、レンズ支持孔４８には第２レンズ群Ｌ２が嵌合固定されている。２群支持枠４７の外周面には、周方向に１２０°間隔で並べて３本のカムピン４９が径方向外向きに突設されており、各カムピン４９は対応する直進案内溝１６及び対応するカム溝３３にそれぞれ係合している。従って、カム環３０が回転すると２群支持枠４７（第２レンズ群Ｌ２）が直進案内溝１６に沿って光軸Ｏ方向に進退する。
【００１７】
次に、本発明の特徴部分である防振用突部材５０の構造について説明する。
内筒１３の外周面の前端部には周方向に１２０°間隔で並べて３つの防振用突部材５０が突設されている。防振用突部材５０は、支持ピン５１と弾性突部材５３からなるものである。
支持ピン５１は内筒１３の外周面に突設された略円柱形状の部材であり、図３に示すようにその先端部はその他の部分より大径の頭部５２となっている。
弾性突部材５３は支持ピン５１に回転可能に外嵌する筒状部材であり、ポリアセタール（ＰＯＭ）等の弾性材料によって一体成形されている。弾性突部材５３の内部にはその軸線を中心とし、支持ピン５１に嵌合する貫通孔５４が形成されている。弾性突部材５３の前面及び後面における同じ高さ位置には直線状の切れ込み５５が形成されており、弾性突部材５３の外筒４２との対向面には前後一対の直線状の切れ込み５６が形成されている。そして、前側の切れ込み５５と前側の切れ込み５６とで囲まれた部分、及び後側の切れ込み５５と後側の切れ込み５６とで囲まれた部分が、その他の部分に比べて弾性変形し易い弾性変形部５７と弾性変形部５８となっている。弾性変形部５７の外筒４２との対向面は後方に向かうにつれて光軸Ｏ側に傾斜する傾斜面５９となっている。さらに、弾性突部材５３の外筒４２との対向面には支持ピン５１の頭部５２が遊嵌する環状段部６０が形成されている。さらに、弾性突部材５３の左右両側面は直進案内溝４５の側面４４と平行な平面である案内平面６１となっている。
図３及び図４に図示するように、支持ピン５１及び弾性突部材５３の先端部は直進案内溝４５の内部に位置している。そして、弾性変形部５７及び弾性変形部５８は常に弾性変形しながら直進案内溝４５の底面４５ａに弾性接触しており、左右の案内平面６１は常に直進案内溝４５の左右の側面４４に摺動可能に接触している。
【００１８】
このように弾性変形部５７及び弾性変形部５８が弾性変形しながら直進案内溝４５の底面４５ａに当接しているので、１群支持枠４０の周方向の３カ所は常に内筒１３に対して径方向外側に付勢されており、その結果、内筒１３（固定環１１）と１群支持枠４０の間のガタが除去されている。
また、各弾性突部材５３の左右の案内平面６１が各直進案内溝４５の左右の側面４４に摺動可能に接触しているので、各弾性突部材５３はガタ除去機能だけでなく直進案内機能を発揮する。そして弾性突部材５３がガタ除去機能と直進案内機能を発揮するので、直進案内ピンを光軸方向位置をずらせて前後一対設け、さらに直進案内ピンとは別個にガタ除去のための弾性部材を設ける場合に比べて、部品点数を少なくすることが可能である。
さらに、直進案内機能を有するカムピン４６と防振用突部材５０（弾性突部材５３）の光軸方向位置がずれているので、防振用突部材５０（弾性突部材５３）はカムピン４６と相俟って従来より高いガタ除去効果及び直進案内効果を発揮できる。
【００１９】
以上、本発明を上記実施形態について説明したが、本発明は上記実施形態に限定されるものではなく、様々な変更を施して実施可能である。
例えば、内筒１３の外周面（外筒４２との対向面）に直進案内溝を形成し、外筒４２の内周面（内筒１３との対向面）に防振用突部材５０を設けて、この防振用突部材５０を内筒１３の直進案内溝に係合してもよい。
さらに、本実施形態では各防振用突部材５０から１群支持枠４０に均等に付勢力を与えて１群支持枠４０と固定環１１の軸線が互いに一致するように、３つの防振用突部材５０及び直進案内溝４５を周方向に並べて設けたが、４つ以上の防振用突部材５０及び直進案内溝４５を周方向に並べて設けても良い。
また、固定環１１側にカムピン４６を突設して、１群支持枠４０側に直進案内溝１６に相当する直進案内溝を形成してもよい。
また、本発明を１群支持枠４０以外の環状部材に適用してもよい。
【図面の簡単な説明】
【００２０】
【図１】本発明の一実施形態のレンズ鏡筒の上半部のワイド状態における縦断側面図である。
【図２】レンズ鏡筒の上半部のテレ状態における縦断側面図である。
【図３】ワイド状態におけるレンズ鏡筒の前端部を拡大して示す縦断側面図である。
【図４】図３のIV−IV矢線に沿う断面図である。
【図５】弾性案内部材の斜視図である。
【図６】弾性案内部材の平面図である。
【図７】図６のVII−VII矢線に沿う断面図である。
【符号の説明】
【００２１】
１０    レンズ鏡筒
１１    固定環（第１環状部材）
１２    マウント環
１３    内筒
１４    外筒
１５    ストッパ
１６    直進案内溝
１７    環状凹部
１８    フォーカス環
１９    グリップ環
２０    貫通孔
２１    環状支持溝
３０    カム環
３１    連結部材
３３  ３４    カム溝
４０    １群支持枠（第２環状部材）
４１    内筒
４２    外筒
４３    レンズ支持孔
４４    側面
４５    直進案内溝（有底直進溝）
４５ａ  底面
４６    カムピン（直進案内ピン）
４７    ２群支持枠
４８    レンズ支持孔
４９    カムピン
５０    防振用突部材
５１    支持ピン
５２    頭部
５３    弾性突部材
５４    貫通孔
５５  ５６  切れ込み
５７  ５８  弾性変形部
５９    傾斜面
６０    環状段部
６１    案内平面
Ｌ１    第１レンズ群
Ｌ２    第２レンズ群
Ｏ      光軸
【図１】
0005033674.tif 000002
【図２】
0005033674.tif 000003
【図３】
0005033674.tif 000004
【図４】
0005033674.tif 000005
【図５】
0005033674.tif 000006
【図６】
0005033674.tif 000007
【図７】
0005033674.tif 000008